(57)【要約】【課題】この発明は杆状の工具でキャスタの主軸を回して被取付部にネジ止めすることができるようにした、ねじ込み式のキャスタに関する。【解決手段】このキャスタは、上部にネジ部を有し、車輪を軸支した支持ヨークに軸受部を介して起立姿勢で旋回可能に取り付けられた主軸を有し、上記ネジ部をキャスタの被取付部に螺着するものであって、前記主軸の中途部で軸受部の上方に鍔部を固設し、該鍔部に、その側周壁面に開口し横向きに延びる取付用の孔を設け、該孔に杆状の工具を差し込んで主軸をネジ止め方向またはネジを外す方向に回転させるようにしたことを特徴とする。【選択図】    図１
2004168120.tif 000002
【特許請求の範囲】
【請求項１】
上部にネジ部を有し、車輪を軸支した支持ヨークに軸受部を介して起立姿勢で旋回可能に取り付けられた主軸を有し、上記ネジ部をキャスタの被取付部に螺着して取り付けるキャスタにおいて、
主軸の中途部で軸受部の上方に鍔部を固設し、
該鍔部に、鍔部の側周壁面に開口し横向きに延びる取付用の孔を設け、
該孔に杆状の工具を差し込んで主軸をネジ止め方向またはネジを外す方向に回転させるようにしたことを特徴とする取付用の孔を有するキャスタ。
【請求項２】
上部にネジ部を有し、車輪を軸支した支持ヨークに軸受部を介して起立姿勢で旋回可能に取り付けられた主軸を有し、上記ネジ部をキャスタの被取付部に螺着して取り付けるキャスタにおいて、
主軸の下部で軸受部の下方に下方鍔部を固設し、
該下方鍔部に、下方鍔部の側周壁面に開口し横向きに延びる取付用の下部孔を設け、
該下部孔に杆状の工具を差し込んで主軸をネジ止め方向またはネジを外す方向に回転させるようにしたことを特徴とする取付用の孔を有するキャスタ。
【請求項３】
上部にネジ部を有し、車輪を軸支した支持ヨークに軸受部を介して起立姿勢で旋回可能に取り付けられた主軸を有し、上記ネジ部をキャスタの被取付部に螺着して取り付けるキャスタにおいて、
主軸の中途部で軸受部の上方に鍔部を固設し、
該鍔部に、鍔部の側周壁面に開口し横向きに延びる取付用の孔を設け、
主軸の下部で軸受部の下方に下方鍔部を固設し、
該下方鍔部に、下方鍔部の側周壁面に開口し横向きに延びる取付用の下部孔を設け、
上記孔または下部孔に杆状の工具を差し込んで主軸をネジ止め方向またはネジを外す方向に回転させるようにしたことを特徴とする取付用の孔を有するキャスタ。
【請求項４】
前記鍔部に外嵌する環状の補助カラーを設け、該補助カラーの側周壁に、鍔部の取付用の孔と連通して杆状の工具を差し込み可能な補助孔を穿設し、上記補助カラーの外周が被取付部の外周形状に対応して設定されていることを特徴とする取付用の孔を有する請求項１または３に記載の取付用の孔を有するキャスタ。
【発明の詳細な説明】
【０００１】
【発明の属する技術分野】
この発明は、いわゆるねじ込み式のキャスタに取付用の孔を設けた構造に関する。
【０００２】
【従来の技術】
従来、キャスタの主軸の上部にネジを設け、中途位置に平面六角形のボルトの頭部形状の鍔部を設けておき、ネジをキャスタの被取付物に設けられたナット状の受部に挿入し、上記鍔部をレンチで回して上記ネジ部を螺着し、被取付物にキャスタを取り付ける、ねじ込み式のキャスタの取付構造が知られている。
しかし、このようなねじ込み式の取付構造では、前記六角形状の鍔部の外径にスパナなどの工具を掛け止めて回すため、作業性が悪いものであった。
そこで、従来、主軸の下端に十字溝などが形成されたネジの頭部を設け、ドライバーで回すことにより主軸を締め付け方向に回すことができるようにした構成が開示されている（特許文献１参照）。
上記構成では、主軸の下端がキャスタの下方まで貫通してネジの頭部が露出している必要があり、主軸の位置と構成が限定される欠点がある。
また、ドライバーを用いて主軸を回すので、ネジに合ったドライバを用いる必要があり、作業性の点で問題が残る。
更に、キャスタをパイプに取り付けた際に鍔部との間に段差が生じるが、これを解消する方法は提案されていない。
【０００３】
【特許文献１】
実開昭５７−１０３２０８号（図７および図８）
【０００４】
【発明が解決しようとする課題】
この発明は、上記事情に鑑みて創案されたものであって、その主たる課題は、杆状の工具でキャスタの主軸を回して被取付部にネジ止めすることができるようにした、ねじ込み式による取付用の孔を有するキャスタを提供することにある。この発明の別の課題は、被取付部がパイプの場合に、キャスタの取付部分が一連となるように補助カラーを用いることができる取付用の孔を有するキャスタを提供することにある。
【０００５】
【課題を解決するための手段】
前記課題を達成するために、請求項１の発明では、
上部にネジ部を有し、車輪を軸支した支持ヨークに軸受部を介して起立姿勢で旋回可能に取り付けられた主軸を有し、上記ネジ部をキャスタの被取付部に螺着して取り付けるキャスタにおいて、
主軸の中途部で軸受部の上方に鍔部を固設し、該鍔部に、鍔部の側周壁面に開口し横向きに延びる取付用の孔を設け、該孔に杆状の工具を差し込んで主軸をネジ止め方向またはネジを外す方向に回転させるようにした、という技術的手段を講じている。
また、請求項２の発明では、
前記キャスタにおいて、主軸の下部で軸受部の下方に下方鍔部を固設し、該下方鍔部に、下方鍔部の側周壁面に開口し横向きに延びる取付用の下部孔を設け、該下部孔に杆状の工具を差し込んで主軸をネジ止め方向またはネジを外す方向に回転させるようにした、という技術的手段を講じている。
更に、請求項３の発明では、
前記キャスタにおいて、主軸の中途部で軸受部の上方に鍔部を固設し、該鍔部に、鍔部の側周壁面に開口し横向きに延びる取付用の孔を設け、
主軸の下部で軸受部の下方に下方鍔部を固設し、該下方鍔部に、下方鍔部の側周壁面に開口し横向きに延びる取付用の下部孔を設け、上記孔または下部孔に杆状の工具を差し込んで主軸をネジ止め方向またはネジを外す方向に回転させるようにした、という技術的手段を講じている。
ことを特徴とする取付用の孔を有するキャスタ。
請求項４の発明では、前記請求項１または３の発明において、
前記鍔部に外嵌する環状の補助カラーを設け、該補助カラーの側周壁に、鍔部の取付用の孔と連通して杆状の工具を差し込み可能な補助孔を穿設し、上記補助カラーの外周が被取付部の外周形状に対応して設定されている、という技術的手段を講じている。
【０００６】
【発明の実施の形態】
以下に、この発明の取付用の孔を有するキャスタの好適実施例を図面を参照して説明する。
図１に示す第１実施例のキャスタ１は、主軸２と、該主軸２に旋回可能に取り付けられた支持ヨーク８と、該支持ヨーク８に軸支された車輪９との基本構成からなっている。
【０００７】
主軸２は、上部にネジ部２ａを有し、中途位置で支持ヨーク８の上方に軸受部４から下方への抜止め用の鍔部３を固着し、また下端には上方への抜止め用の下部鍔部６’を固着している。
この主軸２は、支持ヨーク８に軸受部４を介して起立姿勢で旋回可能に取り付けられている。
【０００８】
即ち、図示例の場合、キャスタ１の軸受部４は、主軸２に固定された固定台部４ａと、支持ヨーク８の上部に形成されて主軸２に回転可能に取り付けられた旋回台部４ｂと、旋回台部４ｂの下に配置されて主軸２に固定された下皿部４ｃとを有し、固定台部４ａと旋回台部４ｂの間に形成された上段の受溝に上段のスチールボール群Ｓ１が転動可能に収納され、旋回台部４ｂと受皿部４ｃの間に形成された下段の受溝に下段のスチールボール群Ｓ２が転動可能に収納された公知の構成からなっている。
【０００９】
そして、この主軸２の鍔部３には、その側周壁に開口し横向きに延びる取付用の孔５が形成されている。
前記鍔部３の形状は、特に限定されるものではなく、主軸２の本体に対して段がつくように形成されていればよい。
【００１０】
そこで、一例を示すと、図２（ａ）に示すように、断面が円形状のもの、あるいは図２（ｂ）に示すように一面だけが扁平に切り欠かれたもの、または図２（ｃ）に示したように、従来同様の平面六角形状のボルトの頭部形状のものなど、適宜な形状のものを用いることができる。
【００１１】
また、この鍔部３に設けられた孔５は、鍔部３を貫通する貫通孔でも、あるいは中途位置まで形成された盲目孔であってもよい。
後者の場合、主軸２に孔を穿つことがなければ強度上は好ましい。
この孔５は、図示例では１つ設けたが、複数設けてもよい。
また、孔５の断面形状は円形としたが、杆状の工具Ｔの杆状部分が挿入可能であればよく、その断面形状は特に限定されない。
【００１２】
このように形成された孔５に、杆状の工具Ｔを差し込み、該工具Ｔで鍔部３を回すことによって、主軸２をネジ止め方向またはネジを外す方向に回転させることができる。
上記杆状の工具Ｔは、直線状の丸棒や、Ｌ状に曲がった棒材などを用いることができる。
工具Ｔの杆状部分の断面は、前記孔５に挿入可能な円形としたが、前述のように、孔５に挿入できればよく、掛止める必要がないので断面形状は特に限定されない。
【００１３】
図３に示すキャスタ１の第２実施例は、軸受構造を異にしたものである。
即ち、このキャスタ１では、軸受部４は、主軸２に固定された固定台部４ａ’の下側で、支持ヨーク８の頂部にベアリングケース４ｄを固定している。
また、このベアリングケース４ｄに対応する位置の主軸２には、内輪４ｅが固着されており、スチールボール群Ｓを介して外輪４ｆがベアリングケース４ｄに固着されている。
これにより、支持ヨーク８を、主軸２および固定台部４ａに対して旋回自在に取り付けている。
そして、主軸２の中途位置で支持ヨーク８の上方に設けた鍔部３に取付用の孔５が形成されている。その他の構成は前記実施例に準じている。
このように、本件発明のキャスタでは、その軸受構造は特に実施例に限定されるものではない。
【００１４】
次に、図４および図５に示す第３実施例のキャスタ１は、主軸２の下端であって、支持ヨーク８の前方（キャスタ進行方向の前方）の開放部８ａから垂下して見える位置に、前記主軸２に固定された抜け止め用の下方鍔部６を設けた異なる実施例を示す。
この下部鍔部６は、図示例の場合に略円柱状からなっており、その側周壁に開口し横向きに延びる取付用の下部孔７を有している。
この下部孔７は、前記孔５と同様であって、杆状の工具Ｔの杆状部分が挿入可能であればよく、その断面形状は特に限定されない。
【００１５】
この場合は、図５に示すように、支持ヨーク８の前方の開放部８ａから、杆状の工具Ｔを差し込み、該工具Ｔで下部鍔部６を上記開放部８ａの空いている範囲で回すことによって、主軸２をネジ止め方向またはネジを外す方向に回転させることができる。
この実施例では、主軸２の中途位置に設けた鍔部３は、抜け止めとして機能すればよいので、主軸２より大径であればよい。
【００１６】
図６に示す第４実施例のキャスタ１は、鍔部３を孔５を有する第１実施例の構造とし、更に主軸２の下端に下部孔７を有する下部鍔部６とした異なる実施例を示す。
この場合、鍔部３または下部鍔部６に、杆状の工具Ｔを差し込むための孔５または下部孔７を設けたので、使用時にいずれかの使いやすい孔５または下部孔７を用いて工具Ｔを差し込み、主軸２を回すことができる。
【００１７】
図７および図８に示す第５実施例のキャスタ１は、前記鍔部３に外嵌する環状の補助カラー１０を設けた異なる実施例を示す。
ここで使用するキャスタは、第１実施例または第３実施例のキャスタ１からなっている。
そして、補助カラー１０は、その側周壁に、鍔部３の取付用の孔５と連通して杆状の工具を差し込み可能な補助孔１５を穿設している。
また、該補助カラー１０の外周は、家具の脚部のような被取付部２０となるパイプの外周形状に整合する大きさに設定されている。
【００１８】
従って、取付時には、鍔部３の外側に補助カラー１０を外嵌し、補助孔３５を鍔部３の孔５と整合させる。
そして工具Ｔの杆状部分を、連通した前記補助孔１５を介して孔５に差し込み、工具Ｔを回すことで、主軸２を回して、主軸２を被取付部２０のナット状の受部２１に螺着することができる。
【００１９】
これにより、鍔部３が被取付部２０の外周より小径であっても、補助カラー１０を用いることで、取付時には鍔部３が補助カラー１０で覆われて、被取付部２０とキャスタ１の鍔部３部分とが同一外周面になる（図８参照）ので、凹凸がなく美観に優れる。また、補助カラー１０がカバーとなって鍔部３の劣化や損傷を防ぎ、また凹部が無くなるので他の部材が挟まったり、引っ掛かったりすることもない。
【００２０】
上記実施例では、単輪キャスタの場合を例にしたが、双輪キャスタに用いてもよい。
例えば、図９に示すように、双輪キャスタ１の支持ヨーク８の前方で起立して軸受けされた主軸２の中途位置に抜け止め用の鍔部３が形成されており、該鍔部３に取付用の孔５が穿設されている。
この場合も、孔５に、杆状の工具Ｔを差し込み、該工具Ｔで鍔部３を回すことによって、主軸２をネジ止め方向またはネジを外す方向に回転させることができる。
【００２１】
この発明は、要するに主軸を被取付部にネジ止めする構成であって、主軸の上部にネジが刻設されており鍔部を有するものであれば適用することができ、主軸の軸受構造や支持ヨークの形状や構造は限定されず、広く適用することができる。
また、鍔部や下部鍔部は、軸受部からの抜止め用として兼用される場合を例示したが、主軸に別に抜け止め部を設けたものであってもよい。
その他、要するにこの発明の要旨を変更しない範囲で種々設計変更しうること勿論である。
【００２２】
【発明の効果】
この発明は上記のように構成されているので、鍔部の孔または下部鍔部の下部孔に杆状の工具を差し込んで回すことで主軸をネジ止め方向またはネジを外す方向に回すことができ、キャスタを被取付部に簡単に取り付けることができ、取付作業の簡易化や効率化を図ることができる。
また、鍔部の外側に補助カラーを外嵌することで、被取付部とキャスタの取付個所とを凹凸の生じない同一の外周面に形成することができ、美観に優れると共に、補助カラーがカバーとなって鍔部の損傷を防ぎ、また凹部に他の部材が挟まったり、引っ掛かったりすることがなく安全である。
【図面の簡単な説明】
【図１】取付用の孔を有するキャスタの第１実施例の要部断面図である。
【図２】鍔部の形状を示す斜視図であって（ａ）は円柱状のもの、（ｂ）は（ａ）の側面の一部を切り欠き、その扁平面に孔の開口を配置したもの、（ｃ）は六角形状のものである。
【図３】軸受構造を異にした第２実施例のキャスタを示す要部断面図である。
【図４】第３実施例のキャスタを示す要部断面図である。
【図５】図４の第３実施例のキャスタをキャスタ進行方向の前方から見た斜視図である。
【図６】第４実施例のキャスタを前方から見た斜視図である。
【図７】第５実施例の補助カラーを用いたキャスタと被取付部との取付状態を示す分解図である。
【図８】パイプ状の被取付部にキャスタを取り付けた状態の側面図である。
【図９】双輪キャスタの主軸に鍔部を設けた異なる実施例を示す側面図である。
【符号の説明】
１      キャスタ
２      主軸
２ａ    ネジ部
３      鍔部
４      軸受部
４ａ    固定台部
４ｂ    旋回台部
４ｃ    下皿部
４ｄ    ベアリングケース
４ｅ    内輪
４ｆ    外輪
Ｓ      スチールボール群
Ｓ１    上段のスチールボール群
Ｓ２    下段のスチールボール群
Ｔ      工具
５      取付用の孔
６      下部鍔部
７      取付用の下部孔
８      支持ヨーク
８ａ    開放部
９      車輪
１０      補助カラー
１５      補助孔
２０      被取付部
２１      受部
【図１】
2004168120.tif 000003
【図２】
2004168120.tif 000004
【図３】
2004168120.tif 000005
【図４】
2004168120.tif 000006
【図５】
2004168120.tif 000007
【図６】
2004168120.tif 000008
【図７】
2004168120.tif 000009
【図８】
2004168120.tif 000010
【図９】
2004168120.tif 000011